(57)【要約】【課題】環境に拘わらずコネクタを安定して保持することができる吸着カバーを提供する。【解決手段】吸着カバーの本体部は、コネクタが挿入される内部空間が内周壁面によって形成されている。複数の係合爪部６は、コネクタ本体の外側壁部に凹状に窪んで形成される複数の凹部と位置的に対応して内周壁面にそれぞれ設けられており、内部空間側へと凸状に突出している。【選択図】      図１
2008270105.tif 000002
【特許請求の範囲】
【請求項１】
回路基板の端子に接続される接続片および当該接続片が配設されるコネクタ本体を有するコネクタを吸着保持するためのコネクタ用吸着カバーであって、
前記コネクタが挿入される内部空間が内周壁面によって形成される本体部と、
前記コネクタ本体の外側壁部に凹状に窪んで形成される複数の凹部と位置的に対応して前記内周壁面にそれぞれ設けられており、内部空間側へと凸状に突出する複数の係合爪部と
を有することを特徴とするコネクタ用吸着カバー。
【請求項２】
前記コネクタは、前記コネクタ本体が略矩形状の樹脂成型品で構成されており、前記コネクタ本体において長手方向に延在する一対の長手辺側に、複数の接続片がそれぞれ並設されているとともに、前記コネクタ本体において短手方向に延在する一対の短手辺側に、前記凹部がそれぞれ２箇所配置されていることを特徴とする請求項１に記載されたコネクタ用吸着カバー。
【請求項３】
前記本体部は、平坦形状の上面部に、高さが部分的に突出した段差部を備えることを特徴とする請求項１または２に記載されたコネクタ用吸着カバー。
【請求項４】
前記本体部は、コネクタの挿入に対する位置合わせを行うために、側面部の一部が取り除かれた切り込み部を有することを特徴とする請求項１から３のいずれか一項に記載されたコネクタ用吸着カバー。
【請求項５】
前記コネクタは、凹状の溝部を備えるソケット側コネクタに対して嵌合されるヘッダ側コネクタであり、
前記ヘッダ側コネクタは、前記ソケット側コネクタの溝部に嵌合されることにより、個々に設けられた接続片同士が互いに接触することを特徴とする請求項１から４のいずれか一項に記載されたコネクタ用吸着カバー。
【発明の詳細な説明】
【技術分野】
【０００１】
本発明は、コネクタ用吸着カバーに関する。
【背景技術】
【０００２】
従来より、例えば、対向する２枚のプリント基板を相互に電気的に接続するコネクタが知られている（例えば、特許文献１参照）。
【０００３】
この類のコネクタは、ソケット側コネクタ（以下、単に「ソケット」という）と、ヘッダ側コネクタ（以下、単に「ヘッダ」という）とで構成されている。ソケットは、略矩形状を有する樹脂成型品であり、対向する一対の辺（例えば、一対の長手辺）には、等ピッチで配置された複数のコンタクトがそれぞれ設けられている。個々のコンタクトは、回路基板の端子にそれぞれ半田付けにより接続される。ヘッダは、略矩形状を有する樹脂成型品であり、ソケットよりもひとまわり程度小さな寸法に設定されている。ヘッダの対向する一対の辺（例えば、一対の長手辺）には、等ピッチで配置された複数のポストがそれぞれ設けられている。個々のポストは、ソケット側の回路基板とは異なる回路基板の端子にそれぞれ半田付けにより接続される。このソケットには、ヘッダの形状と対応して凹状に窪まされた溝部が形成されており、この溝部にヘッダを嵌合することにより、個々のコンタクトと、個々のポストとがそれぞれ接触する。これにより、一対の回路基板が電気的に接続される。
【０００４】
ところで、ソケットおよびヘッダを回路基板に実装する際には、吸着ノズルをソケットおよびヘッダの吸着面に当てて空気を吸引することで、ソケットおよびヘッダを吸着保持して、実装位置まで移送する。特に、ヘッダには、これを安定的・容易に吸着するために、吸着カバーが装着される。この吸着カバーは、内周壁面によって形成される内部空間にコネクタが挿入されることにより、コネクタに装着される。吸着カバーの内部空間は、コネクタの外寸よりも若干小さめの内寸に設定されており、コネクタを吸着カバーに圧入することにより、コネクタが保持される。
【特許文献１】特開２００５−１９１４４号公報
【発明の開示】
【発明が解決しようとする課題】
【０００５】
しかしながら、このような圧入構造では、半田付けにともなうリフロー加熱時に吸着カバーとコネクタとの圧入状態が緩和し、保持力が大幅に低下してしまう可能性がある。
【０００６】
本発明は、このような事情に鑑みてなされたものであり、その目的は、環境に拘わらずコネクタを安定して保持することができる吸着カバーを提供することである。
【課題を解決するための手段】
【０００７】
かかる課題を解決するために、本発明は、回路基板の端子に接続される接続片および当該接続片が配設されるコネクタ本体を有するコネクタを吸着保持するためのコネクタ用吸着カバーを提供する。このコネクタ用吸着用カバーは、前記コネクタが挿入される内部空間が内周壁面によって形成される本体部と、前記コネクタ本体の外側壁部に凹状に窪んで形成される複数の凹部と位置的に対応して前記内周壁面にそれぞれ設けられており、内部空間側へと凸状に突出する複数の係合爪部とを有する。
【０００８】
また、本発明において、コネクタは、前記コネクタ本体が略矩形状の樹脂成型品で構成されており、前記コネクタ本体において長手方向に延在する一対の長手辺側に、複数の接続片がそれぞれ並設されているとともに、前記コネクタ本体において短手方向に延在する一対の短手辺側に、前記凹部がそれぞれ２箇所配置されていることが好ましい。
【０００９】
また、本発明において、本体部は、平坦形状の上面部に、高さが部分的に突出した段差部を備えることが好ましい。
【００１０】
また、本発明において、本体部は、コネクタの挿入に対する位置合わせを行うために、側面部の一部が取り除かれた切り込み部を有することが好ましい。
【００１１】
また、本発明において、コネクタは、凹状の溝部を備えるソケット側コネクタに対して嵌合されるヘッダ側コネクタであることが望ましい。この場合、ヘッダ側コネクタは、前記ソケット側コネクタの溝部に嵌合されることにより、個々に設けられた接続片同士が互いに接触することが好ましい。
【発明の効果】
【００１２】
本発明によれば、吸着カバーの本体部の内部空間に挿入された状態のコネクタは、コネクタ側に形成される凹部が、吸着カバー側に形成される係合爪部に係合する。このような両者の機械的な係合作用により、吸着カバーの内部空間にコネクタを圧入した状態のように、リフロー加熱によって保持力が低下するといった事態が抑制される。そのため、吸着カバーによるコネクタの保持力を安定して得ることができる。
【発明を実施するための最良の形態】
【００１３】
図１は、本発明の実施形態にかかる吸着カバー１を模式的に示す側面図である。また、図２において、（ａ）は、図１に示す吸着カバー１を模式的に示す上面図であり、（ｂ）は、図１に示す吸着カバー１の側面図である。
【００１４】
吸着カバー１は、細長の略矩形状を有しており、コネクタを吸着保持する際のカバーとして機能する。吸着カバー１は、その本体部が、上面部２と、この上面部２に接続する４つの側面部３ａ〜３ｄ、具体的には、長手方向に延在する一対の側面部３ｂ，３ｃと、短手方向に延在する一対の側面部３ａ，３ｄとで構成されている。上面部２および４つの側面部３ａ〜３ｄは、互いに一体成形された成型品であり、吸着カバー１は、上面部２および４つの側面部３ａ〜３ｄの内周壁面によって形成される枡形状の内部空間を有している。この内部空間は、後述するコネクタの外形と対応した形状を備えており、吸着カバー１は、内部空間にコネクタを挿入することで、コネクタを保持することができる。
【００１５】
上面部２は、外部に露出する上面領域が平坦な面形状に形成されており、この上面領域がノズル（図示せず）による吸着面として機能している。この上面部２は、その四隅近傍に開口がそれぞれ形成されている。個々の開口は、後述する係合爪部６を形成する際に、金型の一部が挿入されるための開口として機能する。
【００１６】
長手方向に延在する一対の側面部３ｂ，３ｃには、その両端側に、段差部４がそれぞれ形成されている。この段差部４は、側面部３ｂ，３ｃの一部を構成するとともに、上面部２の一部をも構成している。段差部４は、上面部２側において、それに該当する領域が他の上面領域よりも部分的に突出した格好を有している。
【００１７】
一方、短手方向に延在する一対の側面部３ａ，３ｄには、略中央位置に、先縁部が矩形状に取り除かれた切り込み部５がそれぞれ形成されている。この切り込み部５は、吸着カバー１の内部空間にコネクタを挿入する際、位置合わせのためにコネクタをガイドする機能を担っている。
【００１８】
図３は、図１に示す線分ＡＡにおける吸着カバー１の断面状態を模式的に示す説明図であり、図４は、図１に示す領域ａを模式的に示す吸着カバー１の拡大図である。本実施形態の特徴の一つとして、短手辺側の側面部３ａ，３ｄのそれぞれには、内周壁面に、内部空間側へと凸状に突出する係合爪部６が形成されている。本実施形態において、係合爪部６は、側面部３ａ，３ｄの内周壁面における先縁部側の両端側、すなわち、切り込み部５の両側に位置する内周壁面に、２つ形成されている。これらの係合爪部６は、後述するように、コネクタ（コネクタ本体）の外側壁部に凹状に窪んで形成される複数の凹部と位置的に対応して形成されている。
【００１９】
図５は、本実施形態にかかるコネクタを模式的に示す斜視図である。同図に示すコネクタ１０は、ソケット側コネクタと、ヘッダ側コネクタと呼ばれる一対のコネクタで構成されるコネクタにおいて、ヘッダ側コネクタ（以下、単に「ヘッダ」という）に該当するコネクタである。
【００２０】
ヘッダ１０は、複数のポスト（接続片）１１と、複数のポスト１１が並設されるヘッダ本体１２とを主体に構成されている。ヘッダ１０のヘッダ本体１２は、細長の略矩形状に形成された樹脂成型品である。このヘッダ本体１２は、その外形がソケット側コネクタ（以下、単に「ソケット」という）よりも一回り程度小さい寸法に設定されており、具体的には、後述するソケット本体の溝部と形状的と対応している。ヘッダ本体１２には、長手方向の中心線に対して両側に、複数のポスト１１が長手方向に沿ってそれぞれ並設されている。ヘッダ１０の個々のポスト１１は、プリント配線板のような回路基板（図示せず）の複数の端子に半田付けによりそれぞれ接続される。
【００２１】
図６は、図５に示す領域ｂを模式的に示すヘッダ１０の拡大図である。ヘッダ本体１２において、短手方向に延在する一対の外側壁部には、凹状に窪んだ凹部１３が形成されている。この凹部１３は、ヘッダ本体１２の成形時、射出圧によって金具１４が倒れないように、この金具１４を金型で押さえることにより形成される溝であり、下端側の左右両側に２箇所形成されている。
【００２２】
一方、ソケット（図示せず）は、複数のコンタクト（接続片）と、複数のコンタクトが並設されるソケット本体とを主体に構成されており、ソケットの個々のコンタクトは、プリント配線板のような回路基板の複数の端子にそれぞれが半田付けによりそれぞれ接続される。ソケットのソケット本体は、細長の略矩形状に形成された樹脂成型品であり、周縁領域よりも内側に位置する内周部に凹形状に窪んだ溝部が形成されている。ソケット本体には、長手方向の中心線に対して両側に、複数のコネクタが長手方向に沿ってそれぞれ並設されている。
【００２３】
コネクタは、ソケット本体の溝部にヘッダ本体１２を挿入することにより、ソケット本体（ソケット）とヘッダ本体１２（ヘッダ１０）とが嵌合する。この際、ソケット側の個々のコンタクトと、ヘッダ１０側の個々のポスト１１とがそれぞれ接触することにより、一対のプリント配線板の間が電気的に接続される。
【００２４】
図７は、ヘッダ１０に対する吸着カバー１の装着状態を模式的に示す側面図である。図８は、図７に示すヘッダ１０および吸着カバー１を模式的に示す上面図および側面図である。同図に示すように、吸着カバー１をコネクタ（本実施形態では、ヘッダ１０）に装着する場合には、上面部２および４つの側面部３ａ〜３ｄの内周壁面によって形成される内部空間に対して、ヘッダ１０を挿入する。吸着カバー１の内部空間は、コネクタ１０の外形と形状的に対応しているため、４つの側面部３ａ〜３ｄの先縁部側からヘッダ１０を覆うように挿入することにより、これを内部に挿入することができる。この際、吸着カバー１の短手方向における一対の側面部３ａ，３ｄの形成された切り込み部５によって、ヘッダ１０との位置合わせを行うことができる。
【００２５】
ヘッダ１０に対して吸着カバー１が挿入されると、ヘッダ１０の短手方向の側面部に形成された個々の凹部１３に対して、吸着カバー１の短手方向の側面部３ａ，３ｄに形成された個々の係合爪部６がそれぞれ係合する。ヘッダ１０側の凹部１３と、吸着カバー１側の係合爪部６とが係合することにより、ヘッダ１０と吸着カバー１との接続がロックされる。
【００２６】
このように本実施形態において、コネクタ用吸着カバー１は、本体部と、複数の係合爪部６とで構成されている。ここで、本体部は、コネクタ（本実施形態では、ヘッダ側コネクタ１０）が挿入される内部空間が内周壁面によって形成されており、本実施形態では、上面部２および４つの側面部３ａ〜３ｄがこれに該当する。複数の係合爪部６は、コネクタ本体であるヘッダ本体１２の外側壁部に凹状に窪んで形成される複数の凹部１３と位置的に対応して内周壁面にそれぞれ設けられており、内部空間側へと凸状に突出している。
【００２７】
かかる構成によれば、吸着カバー１の内部空間に挿入された状態のコネクタは、コネクタ側に形成される凹部１３が、吸着カバー１側に形成される係合爪部６に係合する。このような両者の機械的な係合作用により、吸着カバーの内部空間にコネクタを圧入したケースと比較して、リフロー加熱によって保持力が低下するといった事態が抑制される。そのため、吸着カバー１によるヘッダ１０の保持力を安定して得ることができる。
【００２８】
また、本実施形態において、コネクタであるヘッダ１０は、ヘッダ本体１２が略矩形状の樹脂成型品で構成されており、ヘッダ本体１２において長手方向に延在する一対の長手辺側に、複数の接続片（本実施形態では、ポスト１１）がそれぞれ並設されているとともに、ヘッダ本体１２において短手方向に延在する一対の短手辺側に、凹部１３がそれぞれ２箇所配置されている。
【００２９】
かかる構成によれば、ヘッダ本体１２の一対の短手辺側にそれぞれ形成された２箇所の凹部（すなわち、ヘッダ本体１２としては全部で４箇所の凹部）１３に、吸着カバー１側の係合爪部６が係合することにより、吸着カバー１によってヘッダ１０を安定的に保持することが可能となる。
【００３０】
また、本実施形態において、吸着カバー１の本体部は、平坦形状の上面部２に、高さが部分的に突出した段差部４を備えている。
【００３１】
成形材料で構成される吸着カバーは、静電気により平坦な設備壁面などに付着して、搬送が困難となる虞がある。また、吸着カバーの上面部がフラットな状態では、設備壁面と摩擦することとなり、これにより、静電気が発生し易くなる。しかしながら、段差部４を設けることにより、上面部２に段差が生じ、上面部２において設備壁面と密着する面積が減少するとともに、設備壁面との間に隙間が生じるため、静電気の発生を抑制することができる。
【００３２】
また、本実施形態において、吸着カバー１の本体部は、コネクタであるヘッダ１０の挿入に対する位置合わせを行うために、側面部３ａ，３ｄの一部が取り除かれた切り込み部５を有している。
【００３３】
かかる構成によれば、切り込み部５により、ヘッダ１０の挿入をガイドすることができるので、ヘッダ１０に対する吸着カバー１の装着を容易に行うことができる。
【００３４】
また、本実施形態において、コネクタは、凹状の溝部を備えるソケット側コネクタに対して嵌合されるヘッダ側コネクタ１０である。
【００３５】
かかる構成によれば、ソケット側コネクタの溝部に挿入されるヘッダ側コネクタ１０を吸着カバー１によって容易に吸着保持することが可能となる。
【図面の簡単な説明】
【００３６】
【図１】本実施形態にかかる吸着カバー１を模式的に示す側面図
【図２】図１に示す吸着カバー１を模式的に示す上面図および側面図
【図３】図１に示す線分ＡＡにおける吸着カバー１の断面状態を模式的に示す説明図
【図４】図１に示す領域ａを模式的に示す吸着カバー１の拡大図
【図５】本実施形態にかかるコネクタを模式的に示す斜視図
【図６】図５に示す領域ｂを模式的に示すヘッダ１０の拡大図
【図７】ヘッダ１０に対する吸着カバー１の装着状態を模式的に示す側面図
【図８】図７に示すヘッダ１０および吸着カバー１を模式的に示す上面図および側面図
【符号の説明】
【００３７】
１      吸着カバー
２      上面部
３ａ〜３ｄ      側面部
４      段差部
５      切り込み部
６      係合爪部
１０      コネクタ
１０      ヘッダ
１１      ポスト
１２      ヘッダ本体
１３      凹部
１４      金具
【図１】
2008270105.tif 000003
【図２】
2008270105.tif 000004
【図３】
2008270105.tif 000005
【図４】
2008270105.tif 000006
【図５】
2008270105.tif 000007
【図６】
2008270105.tif 000008
【図７】
2008270105.tif 000009
【図８】
2008270105.tif 000010